(57)【要約】【課題】  差動シリアル方式で信号を伝送する際に、伝送クロックを上げることなく、信号の転送量を向上させる。【解決手段】  一対の伝送線路を介して差動シリアル伝送方式で信号を伝送する伝送方法であって、前記一対の伝送線路は、正の差分信号を伝送する正側の伝送線路と、負の差分信号を伝送する負側の伝送線路とで構成され、前記正側の伝送線路と前記負側の伝送線路は、さらに共通信号を伝送し、前記正および負の差分信号は、電圧レベルが、前記共通信号よりＶｓの電圧だけ高電位の電圧と、前記共通信号よりもＶｓの電圧だけ低電位の電圧とから成る信号であり、前記一対の伝送線路を１レーンの差動伝送線路と称するとき、伝送線路全体が複数レーンの差動伝送線路により構成されており、前記複数レーンの中の少なくとも２レーンの差動伝送線路により伝送される共通信号の振幅を、前記正および負の差分信号と同期して時間的に変化させる。【選択図】  図２
2013236148.tif 000002
【特許請求の範囲】
【請求項１】
一対の伝送線路を介して差動シリアル伝送方式で信号を伝送する伝送方法であって、
前記一対の伝送線路は、正の差分信号を伝送する正側の伝送線路と、負の差分信号を伝送する負側の伝送線路とで構成され、
前記正側の伝送線路と前記負側の伝送線路は、さらに共通信号を伝送し、
前記正および負の差分信号は、電圧レベルが、前記共通信号よりＶｓの電圧だけ高電位の電圧と、前記共通信号よりもＶｓの電圧だけ低電位の電圧とから成る信号であり、
前記一対の伝送線路を１レーンの差動伝送線路と称するとき、伝送線路全体が複数レーンの差動伝送線路により構成されており、前記複数レーンの中の少なくとも２レーンの差動伝送線路により伝送される共通信号の振幅を、前記正および負の差分信号と同期して時間的に変化させることを特徴とする伝送方法。
【請求項２】
前記伝送線路全体は、２レーンの差動伝送線路を含み、
前記２レーンの差動伝送線路中の第１のレーンの差動伝送線路を伝送する差分信号から第１の信号を、第２のレーンの差動伝送線路を伝送する差分信号から第２の信号を再生するとともに、前記第１および第２のレーンの差動伝送線路とから構成される１次拡張差動伝送線路を第３の差動伝送線路とみなし、当該第１と第２の差動伝送線路を伝送する共通信号の差分である第３の差動伝送路の差分信号から第３の信号を再生することを特徴とする請求項１に記載の伝送方法。
【請求項３】
前記伝送線路全体は、４レーンの差動伝送線路を含み、
前記４レーンの差動伝送線路の中の第１のレーンの差動伝送線路を伝送する差分信号から第１の信号を、第２のレーンの差動伝送線路を伝送する差分信号から第２の信号を、第３のレーンの差動伝送線路を伝送する差分信号から第３の信号を、第４のレーンの差動伝送線路を伝送する差分信号から第４の信号を再生するとともに、前記第１および第２のレーンの差動伝送線路から構成される１次拡張差動伝送線路を第５の差動伝送線路とみなし、当該第１と第２の差動伝送線路を伝送する共通信号の差分信号から第５の信号を、前記第３および第４のレーンの差動伝送線路から構成される１次拡張差動伝送線路を第６の差動伝送線路とみなし、当該第３と第４の差動伝送線路を伝送する共通信号の差分信号から第６の信号を、さらに前記第５および第６の１次拡張差動伝送線路から構成される２次拡張差動伝送線路を第７の差動伝送線路とみなし、当該第５と第６の差動伝送線路を伝送する共通信号の差分信号より第７の信号を再生することを特徴とする請求項１に記載の伝送方法。
【請求項４】
前記伝送線路は、絶縁性基材と２層以上の導電層の組合せで構成される配線基板に形成されており、
前記各レーンのそれぞれの前記正側の伝送線路と前記負側の伝送線路は、同じ導電層内に形成されていることを特徴とする請求項１に記載の伝送方法。
【請求項５】
前記配線基板は、フレキシブル配線基板であることを特徴とする請求項４に記載の伝送方法。
【請求項６】
前記配線基板上に形成されている導電層が２層であることを特徴とする請求項５に記載の伝送方法。
【請求項７】
複数の画素を有する表示パネルと、
前記複数の画素を駆動する駆動回路を備える表示装置であって、
前記駆動回路には、外部より、一対の伝送線路を介して、信号が差動シリアル伝送方式で供給され、
前記一対の伝送線路は、正の差分信号を伝送する正側の伝送線路と、負の差分信号を伝送する負側の伝送線路とで構成され、
前記正側の伝送線路と前記負側の伝送線路は、さらに共通信号を伝送し、
前記正および負の差分信号は、電圧レベルが、前記共通信号よりＶｓの電圧だけ高電位の電圧と、前記共通信号よりもＶｓの電圧だけ低電位の電圧とから成る信号であり、
前記一対の伝送線路を１レーンの差動伝送線路と称するとき、伝送線路全体が複数レーンの差動伝送線路により構成されており、前記複数レーンの中の少なくとも２レーンの差動伝送線路により伝送される共通信号の振幅が、前記正および負の差分信号と同期して時間的に変化することを特徴とする表示装置。
【請求項８】
前記伝送線路全体は、２レーンの差動伝送線路を含み、
前記２レーンの差動伝送線路中の第１のレーンの差動伝送線路を伝送する差分信号から第１の信号を、第２のレーンの差動伝送線路を伝送する差分信号から第２の信号を再生するとともに、前記第１および第２のレーンの差動伝送線路とから構成される１次拡張差動伝送線路を第３の差動伝送線路とみなし、当該第１と第２の差動伝送線路を伝送する共通信号の差分である第３の差動伝送路の差分信号から第３の信号を再生することを特徴とする請求項７に記載の表示装置。
【請求項９】
前記伝送線路全体は、４レーンの差動伝送線路を含み、
前記４レーンの差動伝送線路の中の第１のレーンの差動伝送線路を伝送する差分信号から第１の信号を、第２のレーンの差動伝送線路を伝送する差分信号から第２の信号を、第３のレーンの差動伝送線路を伝送する差分信号から第３の信号を、第４のレーンの差動伝送線路を伝送する差分信号から第４の信号を再生するとともに、前記第１および第２のレーンの差動伝送線路から構成される１次拡張差動伝送線路を第５の差動伝送線路とみなし、当該１と第２の差動伝送線路を伝送する共通信号の差分である第５の差動伝送路の差分信号から第５の信号を、前記第３および第４のレーンの差動伝送線路から構成される１次拡張差動伝送線路を第６の差動伝送線路とみなし、当該第３と第４の差動伝送線路を伝送する共通信号の差分である第６の差動伝送路の差分信号から第６の信号を、さらに前記第５および第６の１次拡張差動伝送線路から構成される２次拡張差動伝送線路を第７の差動伝送線路とみなし、当該第５と第６の差動伝送線路を伝送する共通信号の差分である第７の差動伝送路の差分信号より第７の信号を再生することを特徴とする請求項７に記載の表示装置。
【請求項１０】
前記伝送線路は、絶縁性基材と２層以上の導電層の組合せで構成される配線基板に形成されており、
前記各レーンのそれぞれの前記正側の伝送線路と前記負側の伝送線路は、同じ導電層内に形成されていることを特徴とする請求項７に記載の表示装置。
【請求項１１】
前記配線基板は、フレキシブル配線基板であることを特徴とする請求項１０に記載の表示装置。
【請求項１２】
前記配線基板上に形成されている導電層が２層であることを特徴とする請求項１１に記載の表示装置。
【請求項１３】
前記表示パネルは、液晶表示パネル、あるいは、有機エレクトロルミネッセンスパネルであることを特徴とする請求項７に記載の表示装置。
【発明の詳細な説明】
【技術分野】
【０００１】
本発明は、伝送方法および表示装置に係り、特に、一対の伝送線路を介して、入力信号が差動シリアル伝送方式で供給される表示装置に適用して有効な技術に関する。
【背景技術】
【０００２】
アクティブ素子として薄膜トランジスタを使用するＴＦＴ方式の液晶表示装置は高精細な画像を表示できるため、テレビ、パソコン用ディスプレイ等の表示装置として使用されている。
一般に、液晶表示装置では、隣接する２本の走査線（ゲート線ともいう。）と、隣接する２本の映像線（ソース線またはドレイン線ともいう。）とで囲まれる領域に、走査線からの走査信号によってオンする薄膜トランジスタと、映像線からの映像信号が薄膜トランジスタを介して供給される画素電極とが形成されて、所謂、サブピクセルが構成される。  これら複数のサブピクセルが形成された領域が表示領域であり、当該表示領域を囲んで周辺領域が存在する。周辺領域には、各映像線に映像電圧（階調電圧）を供給するドレインドライバ（ソースドライバともいう。）、及び各走査線に走査電圧を供給するゲートドライバが設けられる。
ドレインドライバおよびゲートドライバには、表示制御回路（タイミングコントローラともいう。）から表示制御信号が入力され、ドレインドライバおよびゲートドライバは、表示制御回路により制御・駆動される。なお、本体側から表示制御回路への表示データ、あるいは、表示制御信号は、下記特許文献１等に記載されているように、差動シリアル方式で伝送されている。
【先行技術文献】
【特許文献】
【０００３】
【特許文献１】特開平１０−３４００７０号公報
【発明の概要】
【発明が解決しようとする課題】
【０００４】
近年、液晶表示パネルの高精細化に伴い１画面あたりの画像データの転送量が増大し、外部の本体側から表示制御回路への表示データ、あるいは、表示制御信号の転送速度の高速化が要求されている。
一方、液晶表示パネルを搭載する内部レイアウトの関係からフレキシブル配線基板の外形の制限は厳しくなり、狭い幅の中に多くの配線を形成しなければならない。
このような状況下において、フレキシブル配線基板上の配線はＲＧＢパラレル配線から、差動シリアル伝送方式で入力信号を供給する高速シリアル配線が採用され、配線本数が減少したにもかかわらず、顧客要求に応じることが困難な状況がフレキシブル配線基板上の配線レイアウト設計において生じている。
差動シリアル伝送方式において、当然のことながら、伝送クロックを上げれば高速伝送が可能になるが、これはフレキシブル配線基板上の差動伝送線路に、より高い高周波伝送特性が必要となり、多層配線にしたり、高周波損失の少ない基材(概して硬い)を用いる必要が発生する。これは折り曲げて実装することができるというＦＰＣの特徴を制限する要因になる。
本発明は、前記従来技術の問題点を解決するためになされたものであり、本発明の目的は、差動シリアル方式で信号を伝送する際に、伝送クロックを上げることなく、信号の転送量を向上させることが可能となる伝送方法、および、当該伝送方法を採用した表示装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）一対の伝送線路を介して差動シリアル伝送方式で信号を伝送する伝送方法であって、前記一対の伝送線路は、正の差分信号を伝送する正側の伝送線路と、負の差分信号を伝送する負側の伝送線路とで構成され、前記正側の伝送線路と前記負側の伝送線路は、さらに共通信号を伝送し、前記正および負の差分信号は、電圧レベルが、前記共通信号よりＶｓの電圧だけ高電位の電圧と、前記共通信号よりもＶｓの電圧だけ低電位の電圧とから成る信号であり、前記一対の伝送線路を１レーンの差動伝送線路と称するとき、伝送線路全体が複数レーンの差動伝送線路により構成されており、前記複数レーンの中の少なくとも２レーンの差動伝送線路により伝送される共通信号の振幅を、前記正および負の差分信号と同期して時間的に変化させる。
（２）（１）において、前記伝送線路全体は、２レーンの差動伝送線路を含み、前記２レーンの差動伝送線路中の第１のレーンの差動伝送線路を伝送する差分信号から第１の信号を、第２のレーンの差動伝送線路を伝送する差分信号から第２の信号を再生するとともに、前記第１および第２のレーンの差動伝送線路とから構成される１次拡張差動伝送線路を第３の差動伝送線路とみなし、当該第１と第２の差動伝送線路を伝送する共通信号の差分である第３の差動伝送路の差分信号から第３の信号を再生する。
【０００６】
（３）（１）において、前記伝送線路全体は、４レーンの差動伝送線路を含み、前記４レーンの差動伝送線路の中の第１のレーンの差動伝送線路を伝送する差分信号から第１の信号を、第２のレーンの差動伝送線路を伝送する差分信号から第２の信号を、第３のレーンの差動伝送線路を伝送する差分信号から第３の信号を、第４のレーンの差動伝送線路を伝送する差分信号から第４の信号を再生するとともに、前記第１および第２のレーンの差動伝送線路から構成される１次拡張差動伝送線路を第５の差動伝送線路とみなし、当該第１と第２の差動伝送線路を伝送する共通信号の差分である第５の差動伝送路の差分信号から第５の信号を、前記第３および第４のレーンの差動伝送線路から構成される１次拡張差動伝送線路を第６の差動伝送線路とみなし、当該第３と第４の差動伝送線路を伝送する共通信号の差分である第６の差動伝送路の差分信号から第６の信号を、さらに前記第５および第６の１次拡張差動伝送線路から構成される２次拡張差動伝送線路を第７の差動伝送線路とみなし、当該第５と第６の差動伝送線路を伝送する共通信号の差分である第７の差動伝送路の差分信号より第７の信号を再生する。
（４）（１）において、前記伝送線路は、絶縁性基材と２層以上の導電層の組合せで構成される配線基板に形成されており、前記各レーンのそれぞれの前記正側の伝送線路と前記負側の伝送線路は、同じ導電層内に形成される。
（５）（４）において、前記配線基板は、フレキシブル配線基板である。
（６）（５）において、前記配線基板上に形成されている導電層が２層である。
（７）また、本発明は、（１）ないし（６）のいずれかの伝送方法を採用した表示装置である。
【発明の効果】
【０００７】
本願において開示される発明のうち代表的なものによって得られる効果を簡単に説明すれば、下記の通りである。
本発明によれば、差動シリアル方式で信号を伝送する際に、伝送クロックを上げることなく、信号の転送量を向上させることが可能となる。
【図面の簡単な説明】
【０００８】
【図１】本発明の実施例の液晶表示装置の概略構成を示すブロック図である。
【図２】本発明の実施例の液晶表示装置における差動シリアル伝送方式において伝送される信号波形を示す概略図である。
【図３】本発明の実施例の液晶表示装置における差動シリアル伝送方式を説明するための図である。
【図４（ａ）】本発明の実施例の液晶表示装置における拡張した差動シリアル伝送方式を説明するための図である。
【図４（ｂ）】図４（ａ）に示す拡張した差動シリアル伝送方式において伝送される信号波形の一部を示す概略図である。
【図５】本発明の実施例の液晶表示装置において、フレキシブル配線基板の折り曲げ状態を表す断面図である。
【図６】本発明の実施例の液晶表示装置のフレキシブル配線基板の平面図である。
【図７】図６のＡ−Ａ’切断線に沿った断面構造を示す断面図である。
【図８】図７の断面構造にシールド層を付加した場合の断面構造を示す断面図である。
【図９】従来の差動シリアル伝送方式において伝送される信号波形を示す概略図である。
【図１０】従来の差動シリアル伝送方式を説明するための図である。
【発明を実施するための形態】
【０００９】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［実施例］
図１は、本発明の実施例の液晶表示装置の概略構成を示すブロック図である。
液晶表示パネル（ＰＮＬ）には、複数の走査線（ＧＬ）と、映像線（ＤＬ）とが各々並列して設けられる。走査線（ＧＬ）と映像線（ＤＬ）との交差する部分に対応して、サブピクセルが設けられる。
複数のサブピクセルはマトリックス状に配置され、各サブピクセルには、画素電極（ＰＸ）と薄膜トランジスタ（ＴＦＴ）が設けられる。各画素電極（ＰＸ）に対向するように、対向電極（ＣＴ）が設けられ、各画素電極（ＰＸ）と対向電極（ＣＴ）との間には液晶容量（ＬＣ）と、保持容量（Ｃａｄｄ）が形成される。
液晶表示パネル（ＰＮＬ）は、画素電極（ＰＸ）、薄膜トランジスタ（ＴＦＴ）等が設けられた第１ガラス基板（ＳＵＢ１）と、カラーフィルタ等が形成される第２ガラス基板（図示せず）とを、所定の間隙を隔てて重ね合わせ、該両ガラス基板間の周縁部近傍に枠状に設けたシール材により、両ガラス基板を貼り合わせると共に、シール材の一部に設けた液晶封入口から両基板間のシール材の内側に液晶を封入、封止し、さらに、両ガラス基板の外側に偏光板を貼り付けて構成される。
なお、本発明は、液晶表示パネルの内部構造とは関係がないので、液晶表示パネルの内部構造の詳細な説明は省略する。さらに、本発明は、どのような構造の液晶表示パネルであっても適用可能である。例えば、縦電界方式の場合、対向電極（ＣＴ）は第２のガラス基板に形成される。横電界方式の場合、対向電極（ＣＴ）は、第１のガラス基板（ＳＵＢ１）に形成される。
【００１０】
図５は、本発明の実施例の液晶表示装置において、フレキシブル配線基板（ＦＰＣ）の折り曲げ状態を表す断面図であり、
図６は、本発明の実施例の液晶表示装置のフレキシブル配線基板（ＦＰＣ）の平面図であり、
図７は、図６のＡ−Ａ’切断線に沿った断面構造を示す断面図であり、
図８は、図７の断面構造にシールド層を付加した場合の断面構造を示す断面図である。
図５、図６において、ＳＵＢ２は第２ガラス基板、１０は導光板、１１は下フレーム、１２は圧着部であり、フレキシブル配線基板（ＦＰＣ）は、圧着部１２において、第１ガラス基板（ＳＵＢ１）と電気的・機械的に接着される。
図７、図８において、２０は基材層、２１は接地電位が印加されるグランド層、２２は配線層、２３は差動伝送線路、２４は部品、２５はシールド層、２６は絶縁層である。
図５に示すように、本実施例の液晶表示装置では、フレキシブル配線基板（ＦＰＣ）は、液晶表示パネル（ＰＮＬ）の裏側に折り曲げて配置される。
また、図７に示すように、フレキシブル配線基板（ＦＰＣ）は、基材層２０と、基材層の他方の面に形成されるグランド層２１と、基材層の一方の面に形成される差動伝送線路２３と、材層の両方の面に形成される配線層２２とで構成され、フレキシブル配線基板（ＦＰＣ）には、部品２４が実装される。
一般的に、図７に示すように、フレキシブル配線基板（ＦＰＣ）は、多くても両面２層配線であるが、近年では、ノイズ発生防止のため、図８に示すように、絶縁層２６を介してシールド層２５を形成して４層とすることがあるが、シールド層２５に配線を形成することはできず、配線層としてはやはり２層のままである。
【００１１】
図１に示す液晶表示装置において、第１のガラス基板（ＳＵＢ１）上には、駆動回路（ＤＲＶ）が搭載される。
駆動回路（ＤＲＶ）は、コントローラ回路１００と、液晶表示パネル（ＰＮＬ）の映像線（ＤＬ）を駆動するドレインドライバ１３０と、液晶表示パネル（ＰＮＬ）の走査線（ＧＬ）を駆動するゲートドライバ１４０と、液晶表示パネル（ＰＮＬ）に画像を表示するために必要な電源電圧などを生成する電源回路１２０と、メモリ回路１５０とを有する。
コントローラ回路１００には、外部の本体側から、信号（表示データと表示制御信号）が、伝送線路（ＬＥＮ）を介して、差動シリアル伝送方式により入力される。
コントローラ回路１００は、差動シリアル伝送方式で受け取った表示データを、ソースドライバ１３０、メモリ回路１５０に送り表示を制御する。
【００１２】
［従来の差動シリアル伝送方式］
始めに、図９を用いて、従来の差動シリアル伝送方式について説明する。なお、図９は、従来の差動シリアル伝送方式において伝送される信号波形を示す概略図である。ここで、図９（ａ）は、正極性の伝送信号（ＰＳ）、図９（ｂ）は、伝送する信号、図９（ｃ）は、コモン電圧（Ｖｃｏｍ）、図９（ｄ）は、伝送する信号（Ｓ）の反転信号（／Ｓ）、図９（ｅ）は、負極性の伝送信号（ＮＳ）である。
図９に示すように、伝送する信号（Ｓ）と、伝送する信号の反転信号（／Ｓ）は、Ｖａの電圧とＶｂ（Ｖａ＞Ｖｂ）の電圧との間で変化する信号である。
従来の差動シリアル伝送方式では、伝送する信号（Ｓ）と、コモン電圧（Ｖｃｏｍ）とを合成し、電圧レベルが、コモン電圧（Ｖｃｏｍ）よりもＶｓの電圧だけ高電位のＶＨの電圧と、コモン電圧（Ｖｃｏｍ）よりもＶｓの電圧だけ低電位のＶＬの電圧とから成る正極性の伝送信号（ＰＳ）を生成する。
同様に、反転信号（／Ｓ）と、コモン電圧（Ｖｃｏｍ）とを合成し、電圧レベルが、コモン電圧（Ｖｃｏｍ）よりもＶｓの電圧だけ高電位のＶＨの電圧と、コモン電圧（Ｖｃｏｍ）よりもＶｓの電圧だけ低電位のＶＬの電圧とから成る負極性の伝送信号（ＮＳ）を生成する。
正極性の伝送信号（ＰＳ）は、一対の伝送線路の中で正極性側の伝送線路を介して、コントローラ回路１００に入力され、負極性の伝送信号（ＮＳ）は、一対の伝送線路の中で負極性側の伝送線路を介して、コントローラ回路１００に入力される。
コントローラ１００では、正極性の信号（ＰＳ）と負極性の信号（ＮＳ）の差を取って、信号（Ｓ）を復元する。
前述したように、一対の伝送線路は、正極性側の伝送線路と、負極性側の伝送線路の配線で構成されるが、この一対の伝送線路を、１レーンの差動伝送路と称する。
【００１３】
図１０は、従来の差動シリアル伝送方式を説明するための図である。
図１０に示すように、従来の差動シリアル伝送方式では、送信部（ＴＸ１）において、信号（Ｓａ）と、一定電位のコモン電位（Ｖｃｏｍ）とを合成し、正極性の信号（図９（ａ）のＰＳ）と、負極性の信号（図９（ｅ）のＮＳ）とを生成し、第１のレーンの差動伝送路（ＬＥＮ１）を介して、受信部（ＲＸ１）に伝送し、受信部（ＲＸ１）において、正極性の信号（図９（ａ）のＰＳ）と負極性の信号（図９（ｅ）のＮＳ）の差を取って、信号（Ｓａ）を復元する。
同様に、送信部（ＴＸ２）において、信号（Ｓｂ）と、一定電位のコモン電位（Ｖｃｏｍ）とを合成し、正極性の信号（図９（ａ）のＰＳ）と、負極性の信号（図９（ｅ）のＮＳ）とを生成し、第２のレーンの差動伝送路（ＬＥＮ２）を介して、受信部（ＲＸ２）に伝送し、受信部（ＲＸ２）において、正極性の信号（図９（ａ）のＰＳ）と負極性の信号（図９（ｅ）のＮＳ）の差を取って、信号（Ｓｂ）を復元する。
ここで、本実施例の液晶表示装置では、送信部（ＴＸ１，ＴＸ２）は、外部の本体側に配置され、受信部（ＲＸ１，ＲＸ２）は、コントローラ回路１００に配置される。なお、図１０において、抵抗Ｒは終端抵抗である。
以上説明したように、従来の差動シリアル伝送方式では、コモン電圧（Ｖｃｏｍ）は、故意に変化させることが無い一定電位の電圧とされる。したがって、図１０に示すように、２レーンの差動伝送線路を用いると、時分割方式を用いない限り、２つの信号しか伝送できない。また、時分割方式を用いると２つより多くの信号を伝送できるが、各伝送信号の占有率に応じて一定時間内の総伝送量は減少してしまう。
【００１４】
［本発明の実施例の差動シリアル伝送方式］
本実施例では、一定電位のコモン電圧（Ｖｃｏｍ）に代えて、信号と同期して変化するコモン信号（ＳＣ）を用いる。
図２は、本発明の実施例の液晶表示装置における差動シリアル伝送方式において伝送される信号波形を示す概略図である。ここで、図２（ａ）は、正極性の伝送信号（ＰＳ）、図２（ｂ）は、伝送する信号、図２（ｃ）は、コモン信号（本願発明の共通信号；ＳＣ）、図２（ｄ）は、伝送する信号（Ｓ）の反転信号（／Ｓ）、図２（ｅ）は、負極性の伝送信号（ＮＳ）、図２（ｆ）は、復元された信号（Ｓ）、図２（ｇ）は、復元されたコモン信号（ＳＣ）である。
図２（ｃ）に示すように、本実施例では、コモン信号（ＳＣ）は、一定電位の信号ではなく、振幅が、Ｖｃの電圧と、Ｖｄの電圧との間で変化する信号であり、かつ、電圧（Ｖｃ）から電圧（Ｖｄ）へ変化するタイミングと、電圧（Ｖｄ）から電圧（Ｖｃ）へ変化するタイミングとが、信号（Ｓ）（あるいは、反転信号（／Ｓ））と同期する信号である。
本実施例では、伝送する信号（Ｓ）と、コモン信号（ＳＣ）とを合成し、伝送する信号（Ｓ）が、中心電位（Ｓｏ）よりも高電位のＶａの電圧の場合、コモン信号（ＳＣ）よりもＶｓの電圧だけ高電位の電圧、および、伝送する信号（Ｓ）が、中心電位（Ｓｏ）よりも低電位のＶｂの電圧の場合、コモン信号（ＳＣ）よりもＶｓの電圧だけ低電位の電圧とからなる正極性の伝送信号（ＰＳ）を生成する。
同様に、伝送する信号（Ｓ）の反転信号（／Ｓ）と、コモン信号（ＳＣ）とを合成し、反転信号（／Ｓ）が、中心電位（Ｓｏ）よりも高電位のＶａの電圧の場合、コモン信号（ＳＣ）よりもＶｓの電圧だけ高電位の電圧、および、伝送する信号（Ｓ）が、中心電位（Ｓｏ）よりも低電位のＶｂの電圧の場合、コモン信号（ＳＣ）よりもＶｓの電圧だけ低電位の電圧とからなる負極性の伝送信号（ＮＳ）を生成する。
即ち、本実施例では、正極性の伝送信号（ＰＳ）と、負極性の伝送信号（ＮＳ）は、電圧レベルとして、高電位のＶＨの電圧と、低電位のＶＬの電圧と、中間電位のＶｏ（＝（ＶＨ＋ＶＬ）／２）の電圧の３値の電圧を取る信号となる。
【００１５】
正極性の伝送信号（ＰＳ）は、一対の伝送線路の中で正極性側の伝送線路を介して、コントローラ回路１００に入力され、負極性の伝送信号（ＮＳ）は、一対の伝送線路の中で負極性側の伝送線路を介して、コントローラ回路１００に入力される。
そして、コントローラ回路１００において、正極性の伝送信号（ＰＳ）と、負極性の伝送信号（ＮＳ）との差を取ることにより、図２（ｆ）に示すように、伝送する信号（Ｓ）を生成することができる。
さらに、本実施例では、正極性の伝送信号（ＰＳ）と、負極性の伝送信号（ＮＳ）との間の電位差を分圧することにより、図２（ｇ）に示すように、コモン信号（ＳＣ）を復元することができる。
本実施例では、一定電位のコモン電圧（Ｖｃｏｍ）に代えて、信号と同期して変化するコモン信号（ＳＣ）を用いる。
ここで、望ましくは、コモン信号（ＳＣ）は、例えば、伝送する信号（Ｓ）、あるいは、反転信号（／Ｓ）と同期しており、かつ、これらの信号に対してできるだけ小さい位相差で変化する信号がよい。位相差があると、実質的により高い周波数成分が発生するが、この高い周波数成分が減衰してしまうことにより、伝送される信号が変ってしまう可能性が高くなるからである。
【００１６】
図３は、本発明の実施例の液晶表示装置における差動シリアル伝送方式を説明するための図である。
図３に示すように、本実施例の差動シリアル伝送方式では、送信部（ＴＸ１）において、信号（Ｓａ）と、コモン信号（ＳＣａ）とを合成し、正極性の信号（図２（ａ）のＰＳ）と、負極性の信号（図２（ｅ）のＮＳ）とを生成し、第１のレーンの差動伝送路（ＬＥＮ１）を介して、受信部（ＲＸ１）に伝送し、受信部（ＲＸ１）において、正極性の信号（図２（ａ）のＰＳ）と負極性の信号（図２（ｅ）のＮＳ）の差を取って、信号（Ｓａ）を復元する。
同様に、送信部（ＴＸ２）において、信号（Ｓｂ）と、コモン信号（ＳＣｂ）とを合成し、正極性の信号（図２（ａ）のＰＳ）と、負極性の信号（図２（ｂ）のＮＳ）とを生成し、第２のレーンの差動伝送路（（ＬＥＮ２）を介して、受信部（ＲＸ２）に伝送し、受信部（ＲＸ２）において、正極性の信号（図２（ａ）のＰＳ）と負極性の信号（図２（ｅ）のＮＳ）の差を取って、信号（Ｓｂ）を復元する。
また、本実施例では、送信部（ＴＸ３）において、信号（Ｓｃ）と、一定電位のコモン電圧（Ｖｃｏｍ）とを合成し、正極性の信号（図２（ａ）のＰＳ）と、負極性の信号（図２（ｅ）のＮＳ）とを生成し、正極性の信号（図２（ａ）のＰＳ）を、コモン信号（ＳＣａ）として、送信部（ＴＸ１）に入力し、負極性の信号（図２（ｅ）のＮＳ）を、コモン信号（ＳＣｂ）として、送信部（ＴＸ２）に入力する。
【００１７】
さらに、受信部（ＲＸ１）において、正極性の信号と負極性の信号との間の電位差を、終端抵抗（Ｒ）で分圧して、コモン信号（ＳＣａ）を復元し、同じく、受信部（ＲＸ２）において、正極性の信号と負極性の信号との間の電位差を、終端抵抗（Ｒ）で分圧して、コモン信号（ＳＣｂ）を復元する。
そして、受信部（ＲＸ３）において、コモン信号（ＳＣａ）と、コモン信号（ＳＣｂ）の差を取ることにより、信号（Ｓｃ）を復元することができる。
このように、本実施例では、第１のレーンの差動伝送路（ＬＥＮ１）の正極性側および負極性側の両伝送線路からなる正極性側伝送路と、第２のレーンの差動伝送路（ＬＥＮ２）の正極性側および負極性側の両伝送線路からなる負極性側伝送路とで、１次拡張伝送線路を形成し、当該１次拡張伝送線路を用いて、１つの信号を伝送させることができる。
つまり、本実施例では、伝送クロックを変えることなく、２レーンの差動伝送線路で３つの信号を伝送することができる。
【００１８】
図４（ａ）は、本発明の実施例の液晶表示装置における拡張した差動シリアル伝送方式を説明するための図である。
図４（ａ）に示すように、本実施例の拡張した差動シリアル伝送方式では、送信部（ＴＸ１）において、信号（Ｓａ）と、コモン信号（ＳＣａ）とを合成し、正極性の信号（図２（ａ）のＰＳ）と、負極性の信号（図２（ｅ）のＮＳ）とを生成し、第１のレーン（ＬＥＮ１）を介して、受信部（ＲＸ１）に伝送し、受信部（ＲＸ１）において、正極性の信号（図２（ａ）のＰＳ）と負極性の信号（図２（ｅ）のＮＳ）の差を取って、信号（Ｓａ）を復元する。
また、送信部（ＴＸ２）において、信号（Ｓｂ）と、コモン信号（ＳＣｂ）とを合成し、正極性の信号（図２（ａ）のＰＳ）と、負極性の信号（図２（ｂ）のＮＳ）とを生成し、第２のレーン（ＬＥＮ２）を介して、受信部（ＲＸ２）に伝送し、受信部（ＲＸ２）において、正極性の信号（図２（ａ）のＰＳ）と負極性の信号（図２（ｅ）のＮＳ）の差を取って、信号（Ｓｂ）を復元する。
また、送信部（ＴＸ４）において、信号（Ｓｃ）と、コモン信号（ＳＣｃ）とを合成し、正極性の信号（図２（ａ）のＰＳ）と、負極性の信号（図２（ｅ）のＮＳ）とを生成し、第３のレーン（ＬＥＮ３）を介して、受信部（ＲＸ４）に伝送し、受信部（ＲＸ４）において、正極性の信号（図２（ａ）のＰＳ）と負極性の信号（図２（ｅ）のＮＳ）の差を取って、信号（Ｓｃ）を復元する。
また、送信部（ＴＸ５）において、信号（Ｓｄ）と、コモン信号（ＳＣｄ）とを合成し、正極性の信号（図２（ａ）のＰＳ）と、負極性の信号（図２（ｂ）のＮＳ）とを生成し、第４のレーン（ＬＥＮ４）を介して、受信部（ＲＸ５）に伝送し、受信部（ＲＸ５）において、正極性の信号（図２（ａ）のＰＳ）と負極性の信号（図２（ｅ）のＮＳ）の差を取って、信号（Ｓｄ）を復元する。
【００１９】
また、送信部（ＴＸ３）において、信号（Ｓｅ）と、コモン信号（ＳＣｅ）とを合成し、正極性の信号（図２（ａ）のＰＳ）と、負極性の信号（図２（ｅ）のＮＳ）とを生成し、正極性の信号を、コモン信号（ＳＣａ）として、送信部（ＴＸ１）に入力し、負極性の信号を、コモン信号（ＳＣｂ）として、送信部（ＴＸ２）に入力する。
さらに、受信部（ＲＸ１）において、正極性の信号と負極性の信号との間の電位差を、終端抵抗（Ｒ）で分圧して、コモン信号（ＳＣａ）を復元し、同じく、受信部（ＲＸ２）において、正極性の信号と負極性の信号との間の電位差を、終端抵抗（Ｒ）で分圧して、コモン信号（ＳＣｂ）を復元する。
そして、受信部（ＲＸ３）において、コモン信号（ＳＣａ）と、コモン信号（ＳＣｂ）の差を取ることにより、信号（Ｓｅ）を復元することができる。
このように、本実施例では、第１のレーン（ＬＥＮ１）の正極性側および負極性側の両伝送線路からなる正極性側伝送路と、第２のレーン（ＬＥＮ２）の正極性側および負極性側の両伝送線路からなる負極性側伝送路とからなる１次拡張伝送線路が形成されるので、当該１次拡張伝送線路を用いて、１つの信号を伝送させることができる。
【００２０】
また、送信部（ＴＸ６）において、信号（Ｓｆ）と、コモン信号（ＳＣｆ）とを合成し、正極性の信号（図２（ａ）のＰＳ）と、負極性の信号（図２（ｅ）のＮＳ）とを生成し、正極性の信号を、コモン信号（ＳＣｃ）として、送信部（ＴＸ４）に入力し、負極性の信号を、コモン信号（ＳＣｄ）として、送信部（ＴＸ５）に入力する。
さらに、受信部（ＲＸ４）において、正極性の信号と負極性の信号との間の電位差を、終端抵抗（Ｒ）で分圧して、コモン信号（ＳＣｃ）を復元し、同じく、受信部（ＲＸ５）において、正極性の信号と負極性の信号との間の電位差を、終端抵抗（Ｒ）で分圧して、コモン信号（ＳＣｄ）を復元する。
そして、受信部（ＲＸ６）において、コモン信号（ＳＣｃ）と、コモン信号（ＳＣｄ）の差を取ることにより、信号（Ｓｆ）を復元することができる。
このように、本実施例では、第３のレーン（ＬＥＮ３）の正極性側および負極性側の両伝送線路からなる正極性側伝送路と、第４のレーン（ＬＥＮ４）の正極性側および負極性側の両伝送線路からなる負極性側伝送路とからなる１次拡張伝送線路が形成されるので、当該１次拡張伝送線路を用いて、１つの信号を伝送させることができる。
【００２１】
その上、送信部（ＴＸ７）において、信号（Ｓｇ）と、一定電位のコモン電圧（Ｖｃｏｍ）とを合成し、正極性の信号（図２（ａ）のＰＳ）と、負極性の信号（図２（ｅ）のＮＳ）とを生成し、正極性の信号を、コモン信号（ＳＣｅ）として、送信部（ＴＸ３）に入力し、負極性の信号を、コモン信号（ＳＣｆ）として、送信部（ＴＸ６）に入力する。
さらに、受信部（ＲＸ３）において、正極性の信号と負極性の信号との間の電位差を、終端抵抗（Ｒ）で分圧して、コモン信号（ＳＣｅ）を復元し、同じく、受信部（ＲＸ６）において、正極性の信号と負極性の信号との間の電位差を、終端抵抗（Ｒ）で分圧して、コモン信号（ＳＣｆ）を復元する。
そして、受信部（ＲＸ７）において、コモン信号（ＳＣｅ）と、コモン信号（ＳＣｄ）の差を取ることにより、信号（Ｓｇ）を復元することができる。
このように、本実施例では、第１のレーン（ＬＥＮ１）と第２のレーン（ＬＥＮ２）の１次拡張伝送線路からなる正極性側伝送路と、第３のレーン（ＬＥＮ３）と第４のレーン（ＬＥＮ４）の１次拡張伝送線路からなる負極性側伝送路とで２次拡張伝送線路が構成されるので、当該２次拡張伝送線路を用いて、１つの信号を伝送させることができる。
つまりは、本実施例の拡張した差動シリアル伝送方式では、ＬＥＮ１〜ＬＥＮ４の４レーンの差動伝送線路により、Ｓａ〜Ｓｇの７つの信号を伝送することができる。
図４（ｂ）は、図４（ａ）に示す拡張した差動シリアル伝送方式において、第１のレーン（ＬＥＮ１）の正極性側の伝送線路を伝送する信号波形を示す概略図である。図４（ｂ）において、ＰＳａは信号（Ｓａ）の正極性の伝送信号、ＰＣａはコモン信号（ＳＣａ）、ＰＣｅはコモン信号（ＳＣｅ）である。
図４（ｂ）に示すように、図４（ａ）に示す拡張した差動シリアル伝送方式では、正極性の伝送信号（あるいは、負極性の伝送信号）は、電圧レベルとして、高電位のＶＨの電圧と、第１の中間電位のＶｍ１の電圧と、第２の中間電位のＶｍ２の電圧と、低電位のＶＬの電圧（ＶＨ＞Ｖｍ１＞Ｖｍ２＞ＶＬ）の４値の電圧を取る信号となる。
【００２２】
さらに多くの伝送線路が形成されている場合でも同様に拡張伝送線路を構成することができ、２Ｎ本の伝送線路からなるＮレーンの差動伝送線路が形成されていれば、最大で（２Ｎ−１）の追分信号を伝送することができる。
そして、合計（２Ｎ−１）レーンの差動伝送線路（１次、２次の拡張差動伝送線路を含む）は、各レーンの正極性側の伝送線路と、負極性側の伝送線路は、同一階層の配線経路を用いるので対称性がよく、差動伝送線路として適している。
前述の拡張差動伝送線路を用いる差動シリアル伝送方法は、リジット基板上、フレキシブル基板上に形成されたものや、複数の導線を重ねて構成された差動伝送ケーブルなど、差動伝送線路であれば形状は問わず適用することができる。
そのため、材料の選択肢が少なく伝送クロックを高くするのが難しいことや、折り曲げ性を確保するために一般的に配線総数が２層に限られること、外形から決まる配線数の制限が厳しいことなどから、フレキシブル配線基板（ＦＰＣ）に適用することが効果的である。
そのため、液晶表示装置などの画像表示装置に用いるフレキシブル配線基板（ＦＰＣ）に本実施例を適用することにより、幅の狭いフレキシブル配線基板（ＦＰＣ）を用いて、本体側と、ＴＦＴ基板上のコントローラ回路１００との間で、より多くの表示データを伝送することができる。
【００２３】
以上説明したように、本実施例では、差動シリアル伝送方式において、２つのレーンの各コモン信号を用いて拡張差動伝送線路を構成して、信号を印加することにより、２レーンの差動伝送線路で３つの差動信号を伝送することができる。
さらに、拡張することによりＮレーンの差動伝送線路により最大（２Ｎ−１）の数の差動信号を同時に伝送することができるので、差動伝送線路を増やすことなく伝送データ容量を増やすことができる。
前述の１レーンを構成する差動伝送線路数Ｎを偶数とすることにより、同じ拡張次数の配線を組合せて差動伝送線路を構成することができる。
また、一般的に、フレキシブル配線基板（ＦＰＣ）上の複数レーンの差動伝送線路は概並行して配置される。これらにより拡張差動伝送線路においても、正極性側の伝送線路と負極性側の伝送線路の対称性の良好な差動伝送線路を構成することができる。
このため、正極性側の伝送線路と負極性側の伝送線路の信号の差分をとることにより、外来ノイズに対して高い耐性を有する伝送線路を得ることができる。さらには、耐ノイズ性が高いことから低い振幅電圧の伝送信号を用いることができるため、伝送に必要な電力消費を最小限とすることができる。
【００２４】
本実施例の差動シリアル伝送方式は、Ｎが偶数であるときに有効であるが、Ｎが奇数である場合には１レーンを除外した（Ｎ−１）の偶数のレーンに対して適用することにより伝送容量を増やすことができる。
また、クロック信号が独立した伝送方式であって、ダブルデータレート（ＤＤＲ）を用いているものにおいては、クロック信号を除外した他の差動伝送線路に対して本実施例を適用することが望ましい。 ダブルデータレート（ＤＤＲ）の場合は、クロック信号の遷移とデータ信号の遷移のタイミングかずれているため、両者の合成信号ではより高い周波数に対する伝送特性が必要になってしまうからである。
本実施例の差動シリアル伝送方法を用いたフレキシブル配線基板（ＦＰＣ）では、同一の配線層に形成した少数の差動伝送線路を用いて、より多くの信号を伝送することができる。したがって、配線層や配線幅が限られた場合においても伝送クロックを上げることなく、より多くの信号を伝送することができる。さらに、配線層を増やさずに必要な信号を伝送することができるため、図５に示すように、フレキシブル配線基板（ＦＰＣ）の折り曲げ性を損なうことなく用いることができる。
【００２５】
本実施例の液晶表示装置では、フレキシブル配線基板（ＦＰＣ）の幅を広げることなく、より多くの信号（表示データ、あるいは、表示制御信号）を、コントローラ回路１００に伝送することができる。
図６に示すように、フレキシブル配線基板（ＦＰＣ）は、本体の筐体側への接続部は幅が狭くなっていることが多い上、筐体への収納の都合からＦＰＣ上への部品配置位置や配線形成幅を制限されることが多く、伝送線路数をむやみに増やすことができない。
本実施例では、このような場合にも、必要な信号を伝送することができ、高精細の画像を表示させることができる。
あるいは、本実施例では、フレキシブル配線基板（ＦＰＣ）の幅を増やすことなくデータ伝送速度を向上させることができるので、より高精細の画像を表示する液晶表示装置を構成することができる。このため、この液晶表示装置は狭い筐体内に設置することができるので、可搬性が高く高画質の画像表示端末を構成できるようになる。
なお、前述の説明では、本発明を液晶表示装置に適用した実施例について説明したが、本発明はこれに限定されるものではなく、本発明は、有機ＥＬ表示などの他の表示装置に適用可能であることはいうまでもない。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２６】
１０  導光板
１１  下フレーム
１２  圧着部
２０  基材層
２１  グランド層
２２  配線層
２３  差動伝送線路
２４  部品
２５  シールド層
２６  絶縁層
１００  コントローラ回路  
１２０  電源回路
１３０  ドレインドライバ
１４０  ゲートドライバ
１５０  メモリ回路
ＤＬ  映像線（ソース線またはドレイン線）
ＧＬ  走査線（またはゲート線）
ＰＸ  画素電極
ＣＴ  対向電極
ＴＦＴ  薄膜トランジスタ
ＬＣ  液晶容量
Ｃａｄｄ  保持容量
ＰＮＬ  液晶表示パネル
ＳＵＢ１  第１ガラス基板
ＳＵＢ２  第２ガラス基板
ＤＲＶ  駆動回路
ＦＰＣ  フレキシブル配線基板
ＬＥＮ，ＬＥＮ１，ＬＥＭ２，ＬＥＮ３，ＬＥＮ４  伝送線路
ＴＸ１，ＴＸ２，ＴＸ３，ＴＸ４，ＴＸ５，ＴＸ６，ＴＸ７  送信部
ＲＸ１，ＲＸ２，ＲＸ３，ＲＸ４，ＲＸ５，ＲＸ６，ＲＸ７  受信部
【図１】
2013236148.tif 000003
【図２】
2013236148.tif 000004
【図３】
2013236148.tif 000005
【図４（ａ）】
2013236148.tif 000006
【図４（ｂ）】
2013236148.tif 000007
【図５】
2013236148.tif 000008
【図６】
2013236148.tif 000009
【図７】
2013236148.tif 000010
【図８】
2013236148.tif 000011
【図９】
2013236148.tif 000012
【図１０】
2013236148.tif 000013